(57)【要約】      （修正有）【課題】同種の元素を有するが構造式や組成として異なる複数の化合物のうち所定の化合物の純度やそれ以外の化合物であるところの不純物について簡便に分析可能な手法を提供する。【解決手段】核磁気共鳴可能な元素α（水素、炭素、窒素、酸素を除く）を核にしたＮＭＲスペクトルにおいて、該元素αを含有する所定の化合物Ｘ由来のピークと、該元素αを含有する化合物であって前記所定の化合物Ｘ以外の化合物Ｙ由来のピークと、から、該元素αを含有する化合物Ｘ、Ｙのうちの化合物Ｘの純度に係る分析を行う分析工程を有する。【選択図】なし【特許請求の範囲】
【請求項１】
核磁気共鳴可能な元素α（水素、炭素、窒素、酸素を除く）を核にしたＮＭＲスペクトルにおいて、該元素αを含有する所定の化合物Ｘ由来のピークと、該元素αを含有する化合物であって前記所定の化合物Ｘ以外の化合物Ｙ由来のピークと、から、該元素αを含有する化合物Ｘ、Ｙのうちの化合物Ｘの純度に係る分析を行う分析工程を有する、化合物の分析方法。
【請求項２】
前記元素αは、Ｓｎ、Ｓ、Ｐ、Ｃｌ、Ｍｎ、Ｒｈ、Ｐｂ、Ｐｄ、Ｃｒ、Ｃｕ、Ｍｏ、Ｌｉのいずれかである、請求項１に記載の化合物の分析方法。
【請求項３】
前記分析工程においては化合物Ｘ由来のピークと化合物Ｙ由来のピークとから化合物Ｘおよび化合物Ｙの少なくともいずれかについての定量分析を行う、請求項１または２に記載の化合物の分析方法。
【発明の詳細な説明】
【技術分野】
【０００１】
本発明は、化合物の分析方法に属する。
【背景技術】
【０００２】
従来、試料に含有される化合物の情報を得るための分析手法としては、高速液体クロマトグラフ（ＨＰＬＣ）、ガスクロマトグラフ（ＧＣ）等の各種クロマトグラフィーあるいはガスクロマトグラフ質量分析計（ＧＣ−ＭＳ）や液体クロマトグラフ質量分析計（ＬＣ−ＭＳ）、誘導結合プラズマ発光質量分析装置（ＩＣＰ）（特許文献１の段落００８７）等の質量分析が広く利用されている。これらの手法は、互いに異種の元素を有する化合物を別々に検出する上では有用である。
【先行技術文献】
【特許文献】
【０００３】
【特許文献１】特開２０１７−６６４６３号公報
【発明の概要】
【発明が解決しようとする課題】
【０００４】
試料に含有される化合物のうち、例えば有機金属錯体のように同種の元素を有するが配位子の数が異なることに起因して構造式や組成として異なる複数の化合物を分けて分析するには多くの困難が伴う。例えば上記の各種クロマトグラフィーや質量分析装置を使用する場合、同種の元素を有するが構造式や組成として異なる複数の化合物を各々分離するための分離条件の検討が必要となり、結果が得られるまで多くの時間を要してしまう。
なお、本明細書においては「所定の化合物の純度」「不純物」という用語を使用するが、「所定の化合物の純度」は、同種の元素を有するが構造式や組成として異なる複数の化合物のうち、所定の化合物の含有量（重量）の割合（後述の本実施形態での化合物Ｘ、Ｙの合計重量に対する化合物Ｘの重量の割合）のことを指し、「不純物」は、所望でない化合物（後述の本実施形態での化合物Ｙ）のことを指す。
【０００５】
本発明の課題は、同種の元素を有するが構造式や組成として異なる複数の化合物のうち所定の化合物の純度やそれ以外の化合物であるところの不純物について簡便に分析可能な手法を提供することにある。
【課題を解決するための手段】
【０００６】
本発明者は上記の知見に基づき、上記課題を解決するための手段を検討した。その結果、核磁気共鳴可能な元素α（水素、炭素、窒素、酸素を除く）を核にしたうえで、核磁気共鳴分光法（以降、単にＮＭＲと称する。）を用いた測定によって、同種の元素を有するが構造式や組成として異なる複数の化合物各々に由来したピークを表出させて、上記のような純度に係る分析を行う、という新規かつ画期的な手法を想到した。
【０００７】
上記の知見に基づいて成された本発明の態様は、以下の通りである。
本発明の第１の態様は、
核磁気共鳴可能な元素α（水素、炭素、窒素、酸素を除く）を核にしたＮＭＲスペクトルにおいて、該元素αを含有する所定の化合物Ｘ由来のピークと、該元素αを含有する化合物であって前記所定の化合物Ｘ以外の化合物Ｙ由来のピークと、から、該元素αを含有する化合物Ｘ、Ｙのうちの化合物Ｘの純度に係る分析を行う分析工程を有する、化合物の分析方法である。
【０００８】
本発明の第２の態様は、第１の態様に記載の発明において、
前記元素αは、Ｓｎ、Ｓ、Ｐ、Ｃｌ、Ｍｎ、Ｒｈ、Ｐｂ、Ｐｄ、Ｃｒ、Ｃｕ、Ｍｏ、Ｌｉのいずれかである。
【０００９】
本発明の第３の態様は、第１または第２の態様に記載の発明において、
前記分析工程においては化合物Ｘ由来のピークと化合物Ｙ由来のピークとから化合物Ｘおよび化合物Ｙの少なくともいずれかについての定量分析を行う。
【発明の効果】
【００１０】
本発明によれば、同種の元素を有するが構造式や組成として異なる複数の化合物のうち所定の化合物の純度やそれ以外の化合物であるところの不純物について簡便に分析可能な手法を提供することが可能となる。
【図面の簡単な説明】
【００１１】
【図１】本実施形態における試料管（二重管）の概略断面図である。
【発明を実施するための形態】
【００１２】
以下、本発明の実施の形態について説明する。
なお、本明細書において「〜」は所定の数値以上かつ所定の数値以下のことを指す。
また、本明細書における「化合物」とは元素そのもの（例えば金属単体）であるものは含まず、例えば複数の種類の元素を含有するものを指す。
また、特記の無い場合、スペクトルやピークとは、核磁気共鳴分光法を用いた測定における、縦軸を検出強度、横軸を化学シフト（ｐｐｍ）とした際のスペクトルやピークを指す。  
【００１３】
本実施形態に係る化合物の分析方法は主として分析工程と、該分析に対する準備工程とを有する。分析工程においては、核磁気共鳴可能な元素α（水素、炭素、窒素、酸素を除く）を核にしたＮＭＲスペクトルにおいて、該元素αを含有する所定の化合物Ｘ由来のピークと、該元素αを含有する化合物であって所定の化合物Ｘ以外の化合物Ｙ由来のピークと、から、化合物Ｘの純度に係る分析を行う。
【００１４】
本実施形態においてはＮＭＲを行う際に核磁気共鳴可能な元素αを使用するが、この元素αにおいては核磁気共鳴可能なものであって水素、炭素、窒素、酸素が（場合によってはリン、アルミニウムも）除かれたものであり、そうであれば特に限定は無い。例えば、化合物Ｘ、Ｙとなっても常磁性を有する金属元素（例えば鉄（Ｆｅ）、ニッケル（Ｎｉ）、コバルト（Ｃｏ））を元素α（すなわちＮＭＲの核）とした場合に、これらのαを含む化合物は、ＮＭＲスペクトルがブロードとなり、構造に関する情報を、不可能ではないが多少得づらくなる。 
その一方、後述のマンガン（Ｍｎ）のように、価数が０価、２価、３価および４価であるＭｎは常磁性を示す一方で、価数が７価であるＭｎは常磁性を示さないような場合、Ｍｎを元素α（すなわちＮＭＲの核）としても差し支えない。
【００１５】
例えば元素αは核磁気共鳴可能である金属元素であるのが好ましい。こうすることにより、後述の実施例の項目にて示すように、同種の元素を有するが構造式や組成として異なる複数の化合物のうち所定の化合物Ｘの純度や化合物Ｘ以外の化合物Ｙであるところの不純物についてさらに簡便に分析可能となる。例えば、該元素αを含有する化合物であって化合物Ｘ以外の化合物Ｙは、化合物Ｘとは異なるピークを表出させる。本実施形態においてはこれを利用して化合物Ｘの純度に係る分析を行う。
【００１６】
元素αの具体例を以下に列挙する。
元素αが硫黄（Ｓ）の場合、化合物Ｘが硫酸ナトリウム（Ｎａ２ＳＯ４）、不純物である化合物Ｙ１がチオ硫酸（Ｈ２Ｓ２Ｏ３）としてもよい。硫酸ナトリウムは排水処理に用いられることがある。その一方、この試薬としての硫酸ナトリウムに不純物としてチオ硫酸が混在していた場合、排水中に白濁をもたらす等の不具合をもたらすおそれもある。
そこで、この試薬に対し本実施形態を適用すなわちこの試薬に対してＳを核としてＮＭＲ測定を行うことにより、試薬における硫酸ナトリウムの純度を予め把握することが可能となる。
【００１７】
元素αがリン（Ｐ）の場合、試薬がリン系有機溶媒であり例えば化合物Ｘがリン酸ジエチルヘキシル、不純物である化合物Ｙ１がリン酸モノエチルヘキシル、化合物Ｙ２がリン酸としてもよい。リン酸系有機溶媒は所望の元素を抽出するために用いられる。その一方、その一方、この試薬としてのリン酸ジエチルヘキシルに不純物としてリン酸モノエチルヘキシルおよびリン酸が混在していた場合、抽出効率の低下等の不具合をもたらすおそれもある。
そこで、この試薬に対し本実施形態を適用すなわちこの試薬に対してＰを核としてＮＭＲ測定を行うことにより、試薬におけるリン酸ジエチルヘキシルの純度を予め把握することが可能となる。
【００１８】
元素αが塩素（Ｃｌ）の場合、例えば塩素ガスを溶液中に吹き込み対象物に対して溶解ないし浸出処理を行う際に、正常な溶解ないし浸出処理が行われるには溶液中で塩素ガスは塩化物イオンとなる必要がある。
その一方、溶液中で、塩素ガスの塩素が次亜塩素酸、亜塩素酸、あるいは塩素ガスのままとなっている可能性もある。
そこで、塩化物イオンを化合物Ｘとし、不純物である次亜塩素酸、亜塩素酸、あるいは塩素ガスをそれぞれＹ１、Ｙ２、Ｙ３としてもよい。つまり、塩素ガスが吹き込まれた溶液に対し本実施形態を適用すなわちこの溶液に対してＣｌを核としてＮＭＲ測定を行うことにより、溶液における塩化物イオンの純度（例えば濃度）を予め把握することが可能となる。
【００１９】
上記以外の元素αとしては、例えばすず（Ｓｎ）またはマンガン（Ｍｎ）が挙げられる。Ｓｎについては実施例の項目にて後述する。Ｍｎの場合、化合物ＸをＭｎＯ４−としてもよい。同様の過酸化やそれ以外の組成の違いの有無による純度の把握は、他の金属元素にも適用可能である。例えば、白金族元素やその他（ロジウム（Ｒｈ）、鉛（Ｐｂ）、パラジウム（Ｐｄ）、クロム（Ｃｒ）、銅（Ｃｕ）、モリブデン（Ｍｏ）、リチウム（Ｌｉ））を元素αとした場合にも適用可能である。
【００２０】
なお、化合物Ｘ、Ｙの同定は、所定の元素を核にしたときの公知の化学シフト対応表を使用すればよい。仮に新規物質について化合物Ｘ、Ｙの同定を行うことになったとしても、標準液を作製したうえで通常のＮＭＲ（核をＨ等）にて化合物Ｘ、Ｙを同定すれば済む。
【００２１】
化合物Ｘには特に限定は無いが、有機金属化合物または無機金属錯体であれば、後述の実施例の項目にて示すように、同種の元素を有するが構造式や組成として異なる複数の化合物のうち所定の化合物Ｘの純度や化合物Ｘ以外の化合物Ｙであるところの不純物についてさらに簡便に分析可能となる。例えば、有機金属化合物または無機金属錯体だと、配位子の種類や配位数が化合物Ｘとは異なる化合物Ｙや、炭化水素骨格が化合物Ｘとは異なる化合物Ｙが生成される可能性があり、そうなると化合物Ｙは化合物Ｘとは異なるピークを表出させる。本実施形態においてはこれを利用して化合物Ｘの純度に係る分析を行っている。
【００２２】
化合物Ｙは、例えば構造式や組成が多少異なる化合物であり、複数種類存在する場合はスペクトルにおける低い化学シフト側から順に化合物Ｙ１、Ｙ２、Ｙ３・・・と称し、これらを総称して化合物Ｙと称する。
【００２３】
なお、ＮＭＲを用いた測定の具体的手法としては公知の手法を用いればよく特に限定は無いが、以下、一例を挙げる。
【００２４】
本実施形態におけるＮＭＲを用いた測定（本実施形態においてはＦＴＮＭＲ測定（ＦＴＮＭＲ：Ｆｏｕｒｉｅｒ  Ｔｒａｎｓｆｅｒ  ＮＭＲ、以下、特記の無い限りＮＭＲはＦＴＮＭＲを指す。））においては、図１に示すような二重管、さらに言うと各管が同心となる多重管（もちろん三重管や四重管などであっても構わない。）を用いる。当該多重管のうち一つの管には磁場固定用重水素化溶媒（いわゆるロック溶媒）を配置し、別の管には上記化合物Ｘおよび化合物Ｙを含有する測定対象を配置するのが好ましい。例えば、多重管が二重管の場合、中心の管にはロック溶媒を配置し、その外側の管には測定対象を配置するのが好ましい。
ちなみに本実施形態における、上記化合物Ｘおよび化合物Ｙ、ひいてはそれらを含有する測定対象の形態には特に限定は無いが、液体である方が簡便に分析可能であり好ましい。
【００２５】
なお、分析工程にて行う分析の内容であるが、ＮＭＲスペクトルにおいて化合物Ｘに起因する大きなピークの他に何本のピークが存在するかを調べることにより、何種類の化合物Ｙが存在するか、という定性的な分析を行うことが可能となる。
【００２６】
また、定量的な分析を行う場合の手法は公知の手法を採用すればよい。例えば後述の実施例の項目にて示すように、ＮＭＲスペクトルにおける化合物Ｘに由来するピークの面積と化合物Ｙ１、Ｙ２、・・・に由来するピークの面積の合計値との比（例えば面積百分率）により、該元素αを含有する化合物のうちの化合物Ｘの純度（すなわち純物である化合物Ｘと不純物である化合物Ｙとの合計重量に対する化合物Ｘの割合）を定量的に求めることが可能となる。もちろん純度ではなく不純度を求めても構わず、該不純度から純度を求めても構わず、化合物ＸとＹとの含有量（重量、モル）の比を求めても構わない。つまり、化合物Ｘおよび化合物Ｙの少なくともいずれかについての定量分析を行えばよい。
【００２７】
なお、化合物Ｘに係る純度に係る分析の一環として化合物Ｘ、Ｙの濃度を定量する場合には、以下の手法を用いることも可能である。
一例を挙げると、化合物Ｘについてピーク面積と濃度との関係を表す検量線を作製しておき、化合物Ｘ、Ｙを含有する測定対象をＮＭＲにかけＮＭＲスペクトルを取得し、化合物Ｘに由来するピークの面積を求め、該検量線により濃度を求めるという手法を採用すればよい。
また、上記の例では内管にロック溶媒を挿入したが、元素αを含有する化合物であって化合物Ｘ、Ｙとは化学シフト（ピーク位置）が被らない濃度既知の化合物を基準物質としつつ該基準物質に対してロック溶媒を加えたものを使用しても構わない。該基準物質に由来するピークと、測定対象に含有される化合物Ｘ、Ｙに由来するピークとを一つのスペクトルで得ることができ、組成および濃度が既知の該基準物質に由来するピークの面積と化合物Ｘに由来するピークの面積との比から、化合物Ｘの濃度、ひいては一つのＮＭＲスペクトル上に存在する化合物Ｙに由来するピーク面積に基づいて化合物Ｙ１、Ｙ２、Ｙ３・・・の濃度を算出することが可能となる。複数の測定対象を用意しておき、各測定対象における化合物Ｘ、Ｙ各々の濃度の大小により純度を判断するという手法を用い、純度に係る分析を行ってもよい。
【００２８】
本実施形態においては、スペクトルのピークの面積は、ピークが出ていないピークの両端部分の間に基準となる直線を設定し、当該直線から上の部分すなわちピークの部分の強度の積分値として得ている。当該手法は、後述の実施例の項目に記載されたＮＭＲ装置を使用すれば容易に実施可能である。
【００２９】
以上に列挙した各分析内容をまとめて本実施形態においては「元素αを含有する化合物Ｘ、Ｙのうちの化合物Ｘの純度に係る分析」と称する。
【００３０】
以上の結果、本実施形態によれば、同種の元素を有するが構造式や組成として異なる複数の化合物のうち所定の化合物の純度やそれ以外の化合物であるところの不純物について簡便に分析可能な手法を提供することが可能となる。しかも、試料を非破壊で分析することが可能であり、試料の変質といった形態変化を伴わずに分析可能となる。
【００３１】
本発明の技術的範囲は上述した実施の形態に限定されるものではなく、発明の構成要件やその組み合わせによって得られる特定の効果を導き出せる範囲において、種々の変更や改良を加えた形態も含む。
【実施例】
【００３２】
以下、本項目について説明する。本項目においては、化合物Ｘを所定の有機すず（Ｓｎ）化合物とした。つまり化合物Ｙは、すずを含有しつつも化合物Ｘとは異なる組成や構造式を有するものである。そのうえで実施例および比較例を行っているが、本発明の技術的範囲は本項目の記載に限定されるものではない。
説明の便宜上、比較例から説明し、その後、実施例について説明する。
【００３３】
所定の組成および構造式を有する有機すず化合物（化合物Ｘ）を純分として含有する試料Ａ、試料Ｂ、試料Ｃを用意した。
（比較例１）
試料Ａに含有される、所定の組成および構造を有する有機すず化合物（化合物Ｘ）の純分と、そうでない組成または構造を有する有機すず化合物であるところの複数の不純物（化合物Ｙ）の割合を確認するために、化合物ＸをＨＰＬＣ分析で定量しようと試みた。しかしながら、化合物Ｘのみならず化合物Ｙも、分析で使用する分離カラムに吸着してしまい、化合物Ｘを定量することができなかった。
【００３４】
（比較例２）
試料Ａに含有される上記所定の有機すず化合物（化合物Ｘ）の純分と不純物（化合物Ｙ）の割合を確認するために、化合物ＸをＬＣ／ＭＳ分析で定量しようと試みた。しかしながら、化合物Ｘのみならず化合物Ｙも、分析で使用する分離カラムに吸着し、化合物Ｘを定量することが困難であった。
【００３５】
（比較例３）
試料Ａに含有される上記所定の有機すず化合物（化合物Ｘ）の純分と不純物（化合物Ｙ）の割合を確認するために、予め、化合物ＸとＹに対するエチル化およびブチル化による誘導体化処理を行い、ＧＣ分析で定量しようと試みた。しかしながら、化合物Ｙが上手く誘導体化できず、定量することが困難であった。
【００３６】
（比較例４）
試料Ａに含有される上記所定の有機すず化合物（化合物Ｘ）の純分と不純物（化合物Ｙ）の割合を確認するために、予め、化合物ＸとＹを水素化し、ＧＣ／ＭＳ分析で定量した。しかしながらこの定量に際し誘導体化処理を行う必要があるため、化合物ＸとＹの割合を確認できるまでに１日を要した。
【００３７】
（実施例１）
試料Ａの有機すず化合物の溶液を図１に示す試料管（二重管）の外管（日本精密化学製Ｎ−５Ｐ）に添加し、ＦＴＮＭＲ測定時に必要な磁場固定用重水素化溶媒である重クロロホルム（関東化学製、特級）を二重管の内管（日本精密化学製Ｎ−５０２Ａ）に添加した。その後、内管を外管に挿入し、１１９Ｓｎ核観測のＦＴＮＭＲ測定（Ｂｒｕｋｅｒ  Ｂｉｏｓｐｉｎ製ＡＶＡＮＣＥ４００型）を行い、所定の組成および構造を有する有機すず化合物（化合物Ｘ）の純分と、そうでない組成または構造を有する有機すず化合物であるところの不純物（化合物Ｙ１、Ｙ２、Ｙ３・・・）のＮＭＲスペクトルを得た。次いで、ＮＭＲスペクトル上に観測される純分と不純物に対するピークを帰属させ、純分と不純物が与えるピークの面積を算出した。
次に、純分と不純物が与えるピークの全面積に対する純分のピーク面積を百分率で算出し、有機すず化合物の純分と不純物の割合を確認した。その結果、有機すず化合物の純分（化合物Ｘ）と不純物（化合物Ｙ）の割合は８２．８％と１７．２％であり、所要時間はたったの１０分であった。
【００３８】
（実施例２）
実施例１で使用した有機すず化合物を試料Ｂにしたこと以外は、実施例１と同様の測定を行い、所定の組成および構造を有する有機すず化合物（化合物Ｘ）の純分と、そうでない組成または構造を有する有機すず化合物であるところの不純物（化合物Ｙ１、Ｙ２、Ｙ３・・・）のＮＭＲスペクトルを得た。次いで、ＮＭＲスペクトル上に観測される純分と不純物に対するピークを帰属させ、純分と不純物が与えるピークの面積を算出した。
その後、有機すず化合物の純分と不純物の割合を確認した。その結果、有機すず化合物の純分（化合物Ｘ）と不純物（化合物Ｙ）の割合は７１．４％と２８．６％であり、所要時間はたったの１２分であった。
【００３９】
（実施例３）
実施例１で使用した有機すず化合物を試料Ｃにしたこと以外は、実施例１と同様の測定を行い、所定の組成および構造を有する有機すず化合物（化合物Ｘ）の純分と、そうでない組成または構造を有する有機すず化合物であるところの不純物（化合物Ｙ１、Ｙ２、Ｙ３・・・）のＮＭＲスペクトルを得た。次いで、ＮＭＲスペクトル上に観測される純分と不純物に対するピークを帰属させ、純分と不純物が与えるピークの面積を算出し、有機すず化合物の純分と不純物の割合を確認した。
その結果、有機すず化合物の純分（化合物Ｘ）と不純物（化合物Ｙ）の割合は９１．５％と８．５％であり、所要時間はたったの１４分であった。
【００４０】
上記の各実施例の結果をまとめたものを以下の表１に示す。
【表１】
2019020401.tif 000002
上記表１が示すように、各実施例によれば、同種の元素を有するが構造式や組成として異なる複数の化合物のうち所定の化合物の純度やそれ以外の化合物であるところの不純物について簡便に分析可能であることがわかった。 
【図１】
2019020401.tif 000003